(57)【要約】  本発明は、衣服、特にスポーツ活動に用いられるジャケットであって、胸領域および／または背中に通気開口が設けられており、該通気開口が、閉鎖のための手段を有しており、該手段が、調節機構を介して操作可能である形式の衣服に関する。閉鎖のための手段（８）は、開口（７）の領域内で可動な織布層（８１）により形成されている。
2013503981.tif 000002
【特許請求の範囲】
【請求項１】
衣服、特にスポーツ活動に用いられるジャケットであって、胸領域および／または背中に通気開口が設けられており、該通気開口が、閉鎖のための手段を有しており、該手段が、調節機構を介して操作可能である形式のものにおいて、
閉鎖のための手段（８）が、開口（７）の領域内で可動な織布層（８１）により形成されており、
織布層（８１）が、構造体（１０）と、カバー（１２）との間に設けられていることを特徴とする、衣服。
【請求項２】
織布層（８１）が、微孔性かつ空気透過性の材料により形成されている、請求項１記載の衣服。
【請求項３】
前記構造体（１０）が格子状である、請求項１または２記載の衣服。
【請求項４】
カバー（１２）が、穴（１２１）を有している、請求項１から３までのいずれか１項記載の衣服。
【請求項５】
前記調節機構が、編み紐（９１）により形成されている、請求項１から４までのいずれか１項記載の衣服。
【発明の詳細な説明】
【技術分野】
【０００１】
本発明は、衣服、特にスポーツ活動に用いられる上着もしくはジャケットであって、胸領域および／または背中に通気開口が設けられており、該開口が、調節機構を介して操作可能な、閉鎖のための手段を有している衣服に関する。
【０００２】
スポーツ活動時に発生する汗に基づいて、スポーツ活動に用いられる衣服には、特に汗の導出もしくは汗蒸気の導出に関して特別な要求が課されている。しかも、衣服は、屋外での活動時に、湿潤な天気において十分な保護を提供し、同時に各スポーツ選手をスポーツ活動後の急速な冷えから保護するために、防水性であることが望ましい。
【０００３】
スポーツ活動に用いられる衣服を、含浸またはプラスチックコーティングされた繊維製品から製造することが知られている。含浸された材料は、通常は十分に通気性であるが、しかし条件付きでのみ防水である。プラスチックコーティングされた材料は逆である、つまりプラスチックコーティングされた材料は、通常は十分に防水であるが、しかし条件付きでのみ通気性である。さらに、衣服を積層材料から製造することが知られている。積層材料では、外側材料に気候薄膜（Klimamembran）が積層されている。この気候薄膜には、内側から、固定されていないライニング（裏地）、たいていは織布または網材料が配置される。ライニングは、外側材料および気候薄膜と共に３層積層材料の形に積層されて、つながった１つの材料を形成することができる。
【０００４】
含浸された、またはプラスチックコーティングされた繊維製品から成る公知の衣服も、積層材料から成る衣服も、激しい身体活動時には通気性が低すぎるという問題を有している。特に薄膜を備えたジャケットは、ある程度の通気性を提供することができるが、これは、防水性および通気性の相互作用により引き起こされる。つまり、衣服下で分圧が形成され、この分圧が、膜の呼吸、つまり通気（Atmung）を可能にすることが望ましい。しかし、このような通気性は、著しく制限されている。調査により、衣服下の主な換気は、特にジャケットでは、スポーツ活動時にはネックに設けられた開口を通じて行われることが判った。これによって、ネックにおいて、換気および通気を主に調節する連続的な空気の流れが生じる。さらに、たとえば袖口の領域のような、衣服の別の開口によっても換気および通気が生じる。
【０００５】
公知の衣服の不十分な通気活動の結果、高い空気湿分が衣服の内側で凝縮するので、凝縮された水は、衣服の内側で流れる。その結果としての衣服下における著しく高い空気湿度が飽和して、衣服の着用時の能力損失をもたらす。
【０００６】
ここで本発明は解決手段を提供する。本発明の根底を成す課題は、衣服、特にスポーツ活動に用いられるジャケットであって、換気および通気の改善を生ぜしめると同時に、衣服に課された、防風性および防水性に対する要求を満たしている衣服を提供することである。
【０００７】
この課題を解決するために、本発明による構成では、閉鎖のための手段が、開口の領域内で可動な織布層により形成されているようにした。
【０００８】
本発明によれば、衣服、特にスポーツ活動に用いられるジャケットであって、防風性および防水性と同時に、衣服内の気候の著しい改善を可能にする衣服が提供される。このようにして、衣服内の高すぎる空気湿度による能力損失が防止されている。衣服の使用者は、強い発汗時に流入開口を開放する手段を有していて、これにより、衣服内の気候の改善を生ぜしめるために、空気交換が可能である。スポーツ活動後の冷えを防ぐために、各使用者は開口を簡単な形式で再び閉鎖することができる。
【０００９】
本発明の別の実施形態および変化形は、従属請求項に記載されている。本発明の実施形態を図面に示し、以下に詳しく説明する。
【図面の簡単な説明】
【００１０】
【図１】ジャケットの形の衣服の前面図である。
【図２】図１に示した衣服の開口を外側から拡大して示す図である。
【図３】図２に示した開口を外側から操作位置で示す図である。
【図４】図２に示した開口を内側から閉じた位置で示す図である。
【図５】図２に示した開口を内側から部分的に閉じた位置で示す図である。
【図６】図２に示した開口を内側から開いた位置で示す図である。
【００１１】
例示的な実施形態として選択された衣服は、上着もしくはジャケット１である。ジャケット１は、防風および防水の材料から製造されている。ジャケット１は、内側に内側ライニング２を備えている。内側ライニング２は、軽く形成されていて、快適な着用特性を有している。ジャケット１は、該ジャケットの前面でファスナ３によって閉鎖可能である。ジャケット１は、袖４を有している。ジャケット１は、カラー５を備えている。このカラー５には、フード６が配置されている。フード６は、ジャケット１に、たとえばファスナまたはスナップボタンによって、着脱可能に取り付けられている。
【００１２】
ジャケット１には、胸領域でファスナ３の両側に、通気開口７が設けられている。これらの通気開口７は、閉鎖のための手段８を有している。これらの開口７を閉鎖する手段８は、調節機構９によって操作可能である。
【００１３】
通気開口７は、外側で構造体１０により覆われている。構造体１０は、プラスチックから形成されていて、開口７の周囲で、ジャケット１の、防風性および防水性の材料に取り付けられている。この取付けは、縫合、接着、またはその他の取付け形式で行われ得る。本実施形態では、付加的に、取付けのためにリベット１１が使用されている。構造体１０は、環状に延びる縁部１０１を備えている。この縁部１０１は、ジャケット１に構造体１０を上述のように取り付けるために役立つ。縁部１０１からは、長手方向ウェブおよび横方向ウェブ１０２が延びているので、構造体１０は格子の形に形成されている。長手方向ウェブおよび横方向ウェブ１０２の間には、四角形の穴１０３が形成されている。構造体１０の上端部および下端部には、孔の形のガイド１０４が構造体１０に設けられている。
【００１４】
通気開口７を閉鎖する手段８は、織布層８１により形成されている。織布層８１が、気候薄膜（Klimamembran）であると有利である。気候薄膜は、微孔性かつ空気透過性の層を有している。この層は、水蒸気透過性である。織布層８１は、複数の孔を備える薄膜であっても、孔なしの薄膜あってもよい。薄膜は、水および風に対して密である。しかし、身体の湿分は、水蒸気の形で、この薄膜を通って流出するか、もしくは拡散することができ、これにより膜は通気性である、つまり水蒸気に対して透過性である。しかし、別の織布種類、たとえば含浸されるか、もしくはプラスチックコーティングされた繊維製品を使用する可能性もある。
【００１５】
通気開口７を閉鎖する手段８、ひいては本実施形態における織布層８１は、開口７の領域で可動に配置されている。本実施形態では、織布層８１は、縁部１０１によって取り囲まれた領域の範囲で鉛直方向に移動可能である。水平方向の移動性も同様に可能である。しかし、鉛直方向の配向は、この機構が重力により支援されるという利点を有している。織布層８１は、該織布層８１の上端部に水平方向に位置調整された補強部８２を備えている。
【００１６】
調節機構９は、本実施形態では、編み紐９１により形成されている。編み紐９１は、その両端部に把持部分９２を有している。編み紐９１は、特に図２および図３から判るように、ガイド１０４を通って構造体１０の裏の領域から、ジャケットの外側に進出する。調節機構９は、簡単に手段８に結合されている。本実施形態では、編み紐９１は、織布層８１の上端部に配置された補強部８２に結合されている。
【００１７】
ジャケット１の内側で、通気開口７はカバー１２を備えている。カバー１２は、本実施形態では、内側ライニング２と同じ材料で製造されているので、通気開口７の領域でも、肌になじみ、したがって心地よい装着快適性が得られている。カバー１２は、本実施形態では、内側ライニング２に縫合されている。カバー１２には、円形の穴１２１が設けられている。穴１２１は、通気開口７が開いた状態で、ジャケット内へ流入する空気の進入を可能にする。穴１２１の形状は、単に例示的に選択されている。もちろん別の形状も使用され得る。
【００１８】
本実施形態では、織布層８１は、通気開口７を外側で覆う構造体１０と、通気開口７をジャケット１の内側から覆うカバー１２との間に配置されている。したがって、織布層８１は、本実施形態では、構造体１０と、カバー１２との間に案内されている。同様に、織布層８１は、側方では縁部１０１の領域で案内されている。したがって、全体的に織布層８１の信頼性のよい可動性が保証されている。
【００１９】
図４から図６には、開口７を織布層８１により閉鎖する場合の、種々異なる位置が示されている。図４では、通気開口７が織布層８１によって完全に閉じられている。これに対して図５では、通気開口７が部分的に開放されている位置が示されている。カバー１２に設けられた穴１２１を通じて構造体１０のウェブ１０２および穴１０３が見えることが判る。図６に示した実施形態では、通気開口７が完全に開放されている。この場合、ほぼ全ての穴１２１を通じて構造体１０、ひいてはウェブ１０２ならびに穴１０３が見える。
【００２０】
ジャケット１に設けられた、織布層８１の形の、通気開口７を閉鎖する手段８は、ジャケット１内の空気交換を改善する可能性を提供する。織布層８１の移動により、通気開口７を通じた空気の進入が可能である。したがって、ジャケット１内の気候調整が改善される。さらに、織布層８１により通気開口７を部分的に開放する可能性は、それぞれの条件に適合させて開口７を開放する可能性を提供する。これによって、ジャケット内の気候条件の調節が可能であり、このことはジャケットの快適性を公知のジャケットに比べて著しく高める。
【００２１】
手段８の操作は、図３に符号Ｘで示されている手によって、編み紐９１を単純に引っ張ることによって行われる。この場合、上側で構造体１０から突出する編み紐９１を引っ張ることで、開口７の閉鎖が行われ、下側で突出する編み紐９１を引っ張ることで開口７の開放が行われる。
【００２２】
ジャケットのために説明された本発明は、ジャケットだけに制限されるものではない。本発明は、同様にオーバオール、コート等にも適用され得る。
【図１】
2013503981.tif 000003
【図２】
2013503981.tif 000004
【図３】
2013503981.tif 000005
【図４】
2013503981.tif 000006
【図５】
2013503981.tif 000007
【図６】
2013503981.tif 000008
【国際調査報告】
2013503981.tif 000009
2013503981.tif 000010
2013503981.tif 000011
2013503981.tif 000012